(57)【要約】      （修正有）【課題】低背化を図ることができ、しかも、その接続が簡単で、組立ての自動化を図ることができるケーブル用コネクタの提供。【解決手段】フレキシブル配線基板の他端に接続される本体部１６及び補強用プレート１８からなるアダプター部１２が、アダプターハウジング部１０における真上の位置から下降され、スライドロックレバー２２がリターンスプリング１０ＲＳの弾性力に抗して押圧され、アダプター部１２の各爪部１８ｎｃがスライドロックレバー２２の周縁に係合する。続いてスライドロックレバー２２がリターンスプリング１０ＲＳの弾性力により初期位置に戻されることにより各爪部がスライドロックレバー２２の爪部に係合されロック状態になる。また、アダプター部１２の取り外しは、スライドロックレバー２２がリターンスプリング１０ＲＳの弾性力に抗して押圧された状態でアダプター部１２を上に引き離すことで取り外しができる。【選択図】図１３
2008108499.tif 000002
【特許請求の範囲】
【請求項１】
端子群を有するケーブルに接続される接続部を有するアダプター部と、
前記ケーブルにおける該端子群に対し電気的に接続される複数のコンタクト端子を有し、該ケーブルの一端および前記アダプター部を収容するケーブル収容部を有するアダプターハウジング部と、を備え、
前記ケーブル収容部は、前記複数のコンタクト端子に対し真上となる位置に開口部を有し、前記アダプター部および前記ケーブルにおける該端子群が、該開口部を通じて該ケーブル収容部に対し着脱可能とされることを特徴とするケーブル用コネクタ。
【請求項２】
前記アダプターハウジング部は、前記アダプター部を前記アダプターハウジング部のケーブル収容部に対し選択的にロック状態またはアンロック状態とするロック／アンロック機構部をさらに備えることを特徴とする請求項１記載のケーブル用コネクタ。
【請求項３】
前記ロック／アンロック機構部は、前記アダプター部の被係合部により押圧されることにより前記コンタクト端子の配列方向に沿って摺動されるとともに、該アダプター部の被係合部を選択的に係止するスライドロックレバーと、該アダプター部の被係合部が係止されるように該スライドロックレバーを付勢するリターンスプリングとを含んで構成されることを特徴とする請求項１記載のケーブル用コネクタ。
【発明の詳細な説明】
【技術分野】
【０００１】
本発明は、ケーブルの一端と配線基板の信号入出力部との間を電気的に接続できるケーブル用コネクタに関する。
【背景技術】
【０００２】
電子機器内部における電装部品相互間の電気的接続を行うにあたり、ケーブル用コネクタが実用に供されている。ケーブル用コネクタは、例えば、フラットケーブル（ＦＦＣ）、または、フレキシブル配線基板（ＦＰＣ；flexible printed circuit）を介してプリント配線基板に電装品を電気的に接続するアダプターおよびアダプターハウジングを備えるものとされる。
【０００３】
そのようなケーブル用コネクタは、例えば、特許文献１にも示されるように、アダプターとしてケーブルの一端の表面に接合される裏板と、アダプターハウジングとしてプリント配線基板上に配され、その挿入される裏板およびケーブルの一端を収容し選択的に保持するコネクタ本体部とを含んで構成されている。
【０００４】
その裏板は、コンタクトパッド群が形成されるケーブルの一端の表面に対向する表面に、補強板として接合されている。裏板の先端には、コネクタ本体部に昇降動可能に設けられるストッパ部材に係合される被係合部が形成されている。そのストッパ部材は、ケーブルの一端を選択的にコネクタ本体部に保持するロック／アンロック機構の一部を構成している。
【０００５】
一方、コネクタ本体部は、例えば、接続されるケーブルの一端および裏板がプリント配線基板の表面に対し平行に挿入されるようにプリント配線基板の表面に対して垂直な端面に、ケーブル着脱用スリット部を有している。そのケーブル着脱用スリット部は、コネクタ本体部内のケーブル収容部に連通している。ケーブル収容部内には、ケーブルのコンタクトパッド群に電気的に接続されるコンタクト端子群が設けられている。
【０００６】
また、ケーブル用コネクタにおいては、特許文献２にも示されるように、ストッパ部材としてロータリー式のアクチュエータが揺動可能に支持されるものも提案されている。
【０００７】
【特許文献１】特開２００３−３３１９５９号公報
【特許文献２】特開２００３−２９７４６３号公報
【発明の開示】
【発明が解決しようとする課題】
【０００８】
上述のようなケーブル用コネクタは、比較的小型化された電子機器内に配置されるのでさらなる低背化（薄型化）が図られることが要望される。
【０００９】
しかしながら、特許文献１に示されるようにケーブルの一端とともに裏板が、ケーブル着脱用スリット部を介してケーブル収容部に着脱される構成においては、コネクタ本体部におけるプリント配線基板の表面からの高さを低くするにも限界があり、ケーブル用コネクタの低背化が図れない。
【００１０】
また、ケーブル用コネクタおよびケーブルが比較的小型化された電子機器内に組み付けられる場合、自動組立て用ロボットが利用されるとき、特許文献２に示されるような、ロータリー式のアクチュエータを備えるケーブル用コネクタにおいては、そのような自動組立て用ロボットのハンドラーによりアクチュエータを回動させる動作が困難となり、従って、自動組立て用ロボットが利用できない虞がある。
【００１１】
以上の問題点を考慮し、本発明は、ケーブルの一端と配線基板の信号入出力部との間を電気的に接続できるケーブル用コネクタであって、低背化を図ることができ、しかも、その接続が簡単で、組立ての自動化を図ることができるケーブル用コネクタを提供することを目的とする。
【課題を解決するための手段】
【００１２】
上述の目的を達成するために、本発明に係るケーブル用コネクタは、端子群を有するケーブルに接続される接続部を有するアダプター部と、ケーブルにおける端子群に対し電気的に接続される複数のコンタクト端子を有し、ケーブルの一端およびアダプター部を収容するケーブル収容部を有するアダプターハウジング部と、を備え、ケーブル収容部は、複数のコンタクト端子に対し真上となる位置に開口部を有し、アダプター部およびケーブルにおける端子群が、開口部を通じてケーブル収容部に対し着脱可能とされることを特徴とする。
【発明の効果】
【００１３】
以上の説明から明らかなように、本発明に係るケーブル用コネクタによれば、ケーブル収容部は、複数のコンタクト端子に対し真上となる位置に開口部を有し、アダプター部およびケーブルにおける端子群が、開口部を通じてケーブル収容部に対し着脱可能とされるので低背化を図ることができ、しかも、その組み立てが簡単で、接続の自動化を図ることができる。
【発明を実施するための最良の形態】
【００１４】
図４は、本発明に係るケーブル用コネクタの一例の外観を、フレキシブル配線基板とともに示す。
【００１５】
図４において、ケーブル用コネクタは、電子機器、例えば、携帯電話内に装備されるプリント配線基板または電装品と所定のプリント配線基板（不図示）とをケーブルを介して電気的に接続するものとされる。
【００１６】
ケーブル用コネクタは、ケーブルとしてのフレキシブル配線基板１４の他端に接続されている。各信号群を双方向に伝送するフレキシブル配線基板１４の一端は、電装品またはプリント配線基板の接続部（不図示）に接続されている。
【００１７】
ケーブル用コネクタは、フレキシブル配線基板１４の他端に接続され、フレキシブル配線基板１４の他端を後述するアダプターハウジング部１０に接続するアダプター部１２と、アダプター部１２のケーブル結合部に固定されるフレキシブル配線基板１４の他端が着脱可能に接続され、フレキシブル配線基板１４の他端を信号入出力部としてのプリント配線基板に電気的に接続するアダプターハウジング部１０とを含んで構成されている。
【００１８】
上述のフレキシブル配線基板１４は、例えば、保護層に覆われた複数の導電層が絶縁性基材上の両面に形成された構成とされる。絶縁性基材は、例えば、厚さ５０μｍ程度の液晶ポリマー、ガラスエポキシ樹脂、ポリイミド（ＰＩ）、ポリエチレンテレフタレート（ＰＥＴ）、あるいは、ポリエーテルイミド（ＰＥＩ）で成形されている。保護層は、例えば、熱硬化型のレジスト層、あるいは、ポリイミドフィルムにより形成されている。
【００１９】
フレキシブル配線基板１４の他端における一方の表面には、図１２に示されるように、外部に露出したコンタクトパッド群１４Ｅが形成されている。
【００２０】
アダプター部１２は、例えば、樹脂材料で成形され、図１０および図１１に拡大されて示されるように、フレキシブル配線基板１４の他端が接着される被接合面部１６ＢＳを有する本体部１６と、本体部１６の平板状部１６Ａに形成される浅い凹部１６Ｒ内に結合される補強用プレート１８（図８および図９参照）とを含んで構成されている。
【００２１】
本体部１６における平板状部１６Ａの長手方向の一方の端部には、後述する補強用プレート１８の爪部１８ｎｃが係合される切欠部１６ｇｃが所定の間隔で４箇所に形成されている。また、平板状部１６Ａの短辺側の両端部には、それぞれ、爪部１６ｎａおよび１６ｎｂが形成されている。図１１において、平板状部１６Ａにおける爪部１６ｎａと爪部１６ｎｂとの間には、ケーブル結合部としての被接合面部１６ＢＳが形成されている。
【００２２】
鉤状の爪部１６ｎａの先端部は、図１１に示されるように、平板状部１６Ａの短辺側の端部から外方に向けて張り出すとともに、被接合面部１６ＢＳ側に向けて折れ曲がっている。これにより、所定の隙間ＣＬが、爪部１６ｎａにおける平板状部１６Ａの表面に連なる連結部分に形成されることとなる。隙間ＣＬには、後述するスライドロックレバー２２の一対の突起２２ａが選択的に係合される。
【００２３】
爪部１６ｎａの先端部の外周面には、所定の勾配を有する斜面部１６ｎａｓが形成されている。斜面部１６ｎａｓは、図１１において左斜め下方に向けて傾斜されている。
【００２４】
また、爪部１６ｎｂの先端部は、図１１に示されるように、爪部１６ｎａに相対向し、平板状部１６Ａの短辺側の端部から被接合面部１６ＢＳに対し略垂直方向に突出している。爪部１６ｎｂには、後述する補強用プレート１８の爪部１８ｎｂ（図８および図９参照）が係合されるスリット１６ｇｂが、被接合面部１６ＢＳに対し略垂直方向であって、平板状部１６Ａの長手方向の端面に対し略平行となるように形成されている。爪部１６ｎｂの先端部の外周面には、所定の勾配を有する斜面部１６ｎｂｓが形成されている。斜面部１６ｎｂｓは、図１１において左斜め下方に向けて傾斜されている。
【００２５】
平板状部１６Ａにおける被接合面部１６ＢＳに対向する表面には、補強用プレート１８の平板状部１８Ａが配される凹部１６Ｒが形成されている。
【００２６】
補強用プレート１８は、例えば、薄鋼板でプレス加工により作られ、図８および図９に拡大されて示されるように、平板状部１８Ａの長手方向の一方の端部には、爪部１８ｎｃが所定の間隔で４箇所に形成されている。また、平板状部１８Ａの短辺側の両端部には、それぞれ、爪部１８ｎａおよび１８ｎｂが相対向して一体に形成されている。
【００２７】
爪部１８ｎａは、上述の本体部１６の爪部１６ｎａの縦断面形状にほぼ対応した形状を有し、相対向して一対形成されている。爪部１８ｎａの相互間距離は、爪部１６ｎａがその相互間に挿入され得るように設定されている。各爪部１８ｎａの先端部には、爪部１６ｎａの斜面部１６ｎａｓに対応して斜面が形成されている。爪部１８ｎｂは、上述の本体部１６の爪部１６ｎｂの縦断面形状にほぼ対応した形状を有し、端部から外方に向けて張り出し、平板状部１８Ａの表面に対し略垂直方向に突出している。爪部１８ｎｂの厚さは、爪部１６ｎｂのスリット１６ｇｂに圧入され得るように設定されている。
【００２８】
これにより、補強用プレート１８を本体部１６に組み付けるにあたっては、爪部１８ｎａが本体部１６の爪部１６ｎａに係合され、また、爪部１８ｎｂがスリット１６ｇｂに圧入されるとともに、その平板状部１８Ａが本体部１６の凹部１６Ｒ内に配されることにより、図５および図１２に示されるように、補強用プレート１８が本体部１６に結合されることとなる。そして、図１２に示されるように、フレキシブル配線基板１４の他端は、そのコンタクトパッド群１４Ｅが爪部１６ｎａおよび１６ｎｂ相互間に配置されるように上述の本体部１６の被接合面部１６ＢＳに接着される。なお、フレキシブル配線基板１４の他端の結合方法は、斯かる例に限られることなく、例えば、鉤状のピンまたは爪部が被接合面部１６ＢＳに設けられ、そのピン等がフレキシブル配線基板１４に対応して設けられる係合孔に係合されることによりフレキシブル配線基板１４の他端が結合されてもよい。
また、例えば、フレキシブル配線基板１４の他端が、被接合面部１６ＢＳに熱溶着されてもよい。
【００２９】
アダプターハウジング部１０は、図に示されるように、その中央部にアダプター部１２全体およびフレキシブル配線基板１４の他端を収容するアダプター収容部１０Ａと、上述の爪部１６ｎａおよび１６ｎｂと協働してフレキシブル配線基板１４の端部およびアダプター部１２を選択的にロック状態またはアンロック状態とするロック／アンロック機構部とを含んで構成されている。
【００３０】
アダプター収容部１０Ａは、側壁１０ＷＡ，１０ＷＢ，および、コンタクト端子固定壁１０ＷＲにより囲まれ、上方および一方の端部に向けて開口している。これにより、アダプター部１２は、フレキシブル配線基板１４の他端がプリント配線基板の表面に対し略平行となる姿勢の状態でアダプターハウジング部１０のアダプター収容部１０Ａに対して上方位置から真下に直接的に移動されることにより、アダプター収容部１０Ａに装着可能とされる。
【００３１】
アダプター収容部１０Ａを形成する底部における各スリット１０Ｓｉ（ｉ＝１〜ｎ、ｎは正の整数）には、図２に示されるように、所定の間隔で側壁１０ＷＡおよび１０ＷＢに対し略平行に、フレキシブル配線基板１４のコンタクトパッド群１４Ｅに当接し電気的接続を行なうコンタクト端子２０ａｉ（ｉ＝１〜ｎ、ｎは正の整数）が設けられている。隣接する各スリット１０Ｓｉ相互間は、隔壁により仕切られている。各スリット１０Ｓｉにおける一方の端部は、図３および図５に示されるように、コンタクト端子固定壁１０ＷＲの背面に開口している。
【００３２】
コンタクト端子２０ａｉは、例えば、薄板金属材料で作られ、図２および図６に示されるように、接点部２０ｃを有する可動片部と、プリント配線基板の導体層に半田付け固定される固定端子部２０ｆｔと、スリット１０Ｓｉに圧入保持され、可動片部と固定端子部とを連結する固定部とを含んで構成されている。
【００３３】
各コンタクト端子２０ａｉの接点部２０ｃは、図６に拡大されて示されるように、スリット１０Ｓｉにおけるアダプター収容部１０Ａ側の端部からアダプター収容部１０Ａ内に向けて所定量、突出している。これにより、各接点部２０ｃが共通の平面上に略一直線上に所定の間隔で配置されることとなる。各コンタクト端子２０ａｉの半田付固定端子部は、図２に拡大されて示されるように、スリット１０Ｓｉを通過して外部に向けて突出している。
【００３４】
側壁部１０ＷＡの溝には、図３に示されるように、半田付け固定により、アダプターハウジング部１０をプリント配線基板に固定する固定金具２４ＦＡが圧入されている。また、側壁部１０ＷＢの溝には、固定具２４ＦＡに相対向して固定金具２４ＦＢが圧入されている。
【００３５】
ロック／アンロック機構部は、コンタクト端子固定壁１０ＷＲの長手方向に沿った内面に対し移動可能に配され、上述のアダプター部１２の爪部１８ｎｃ，１６ｎａおよび１６ｎｂを選択的に保持するスライドロックレバー２２と、スライドロックレバー２２を初期位置に戻すように付勢するリターンスプリング１０ＲＳと含んで構成されている。
【００３６】
コンタクト端子固定壁１０ＷＲの内面に沿って延在するスライドロックレバー２２は、図１に示されるように、例えば、帯状の薄鋼板でプレス加工により作られ、その両端に操作部２２ｔおよびロック用係合片部２２ｅを相対向して有している。
【００３７】
略逆Ｕ字形の操作部２２ｔは、側壁１０ＷＢおよび固定金具２４ＦＢにそれぞれ形成される切欠部を介して側方に向けて突出している。操作部２２ｔにおける側壁１０ＷＢの切欠部を通過する部分近傍には、互いに内側に向かって突出する一対の突起部２２ａが一体的に形成されている。ロック用爪部としての一対の突起部２２ａは、操作部２２ｔの内周面に対して略垂直であってアダプター収容部１０Ａの底部に対し略平行に形成されている。
【００３８】
ロック用係合片としてのロック用係合片部２２ｅは、アダプター収容部１０Ａの底部に対し略平行であって鉤形となるように折り曲げられて形成されている。
【００３９】
スライドロックレバー２２におけるコンタクト端子固定壁１０ＷＲの内面に摺接する部分には、ロック用爪部としての爪部２２ｎが所定の間隔でコンタクト端子２０ａｉの配列方向に沿って４箇所に形成されている。各爪部２２ｎの両脇には、図７に部分的に拡大されて示されるように、切欠部２２ｇｂ、切欠部２２ｂが形成されている。切欠部２２ｂには、コンタクト端子固定壁１０ＷＲの内面に所定の間隔で形成される突起部１０ｄが係合されている。
【００４０】
また、操作部２２ｔの突起部２２ａと切欠部２２ｇｂとの間には、図６に部分的に拡大されて示されるように、切欠部２２ｇａが形成されている。切欠部２２ｇａの一方の終端には、コンタクト端子固定壁１０ＷＲの内面に形成される突起部１０ｄが係合されている。また、切欠部２２ｇａの他方の終端には、弾性変位可能なリターンスプリング１０ＲＳの一端が係合されている。リターンスプリング１０ＲＳの他端は、コンタクト端子固定壁１０ＷＲの溝に圧入されている。そのコンタクト端子固定壁１０ＷＲの溝に隣接して斜面部が形成されている。これにより、リターンスプリング１０ＲＳの一端は、その斜面部とリターンスプリング１０ＲＳの一端との間に形成される楔状の隙間１０Ｗ内で変位可能とされる。
【００４１】
従って、図１において、操作部２２ｔが矢印の示す方向にリターンスプリング１０ＲＳの弾性力に抗して押圧される場合、スライドロックレバー２２の全体が、矢印の示す方向に摺接され、爪部２２ｂの端面が突起部１０ｄに当接するまで所定距離だけ移動せしめられる。そして、操作部２２ｔが解放される場合、リターンスプリング１０ＲＳの復元力により、スライドロックレバー２２の全体が矢印の示す方向とは反対方向に移動せしめられ、初期の位置に戻される。
【００４２】
斯かる構成において、アダプター部１２をアダプターハウジング部１０のアダプター収容部１０Ａに装着するにあたっては、先ず、図５に示されるように、フレキシブル配線基板１４の他端に接続されるアダプター部１２がアダプター収容部１０Ａの真上の所定位置に位置決めされる。その際、図１３（Ａ）および（Ｂ）に部分的に拡大されて示されるように、アダプター部１２の本体部１６がアダプター収容部１０Ａの底部に対して略平行となる姿勢の状態で、爪部１６ｎａおよび爪部１６ｎｂが、それぞれ、スライドロックレバー２２における操作部２２ｔおよびロック用係合片部２２ｅに相対向している。
【００４３】
次に、アダプター部１２が、図１３（Ｂ）において矢印Ｆの示す方向に下降せしめられ、図１４（Ａ）に拡大されて示されるように、爪部１６ｎｂの斜面部１６ｎｂｓがロック用係合片部２２ｅの内周部に係合され、また、爪部１６ｎａの斜面部１６ｎａｓが一対の爪部２２ａに当接される。
【００４４】
続いて、アダプター部１２が、さらに押圧されることにより、図１４（Ｂ）および図１５（Ｂ）に拡大されて示されるように、スライドロックレバー２２が、リターンスプリング１０ＲＳの弾性力に抗して図１４（Ｂ）における矢印の示す方向に向かって移動せしめられる。その際、アダプター部１２の各爪部１８ｎｃが、各切欠部２２ｇｂの周縁に係合されることとなる。また、各爪部２２ｎが突起部１０ｄに当接される。
【００４５】
続いて、アダプター部１２は、一対の突起２２ａが爪部１６ｎａの隙間ＣＬに対向する位置までさらに下降せしめられる。その際、各爪部１８ｎｃが爪部２２ｂの根元の位置に対向するまでさらに下降せしめられる。
【００４６】
続いて、スライドロックレバー２２が、リターンスプリング１０ＲＳの弾性力により初期位置まで戻されることにより、図１４（Ｃ）および図１５（Ｃ）に示されるように、各爪部１８ｎｃが爪部２２ｎに係合され、また、その爪部１６ｎｂの根元がロック用係合片部２２ｅの内周部に係合され、所謂、ロック状態とされる。その際、一対の突起２２ａが爪部１６ｎａの隙間ＣＬに係合され、ロック状態とされる。
【００４７】
これにより、図４および図１５（Ｃ）に示されるように、アダプター部１２およびフレキシブル配線基板１４の他端が、アダプター収容部１０Ａ内に装着され保持されることとなる。その際、アダプター部１２の上面とアダプターハウジング部１０の端子固定壁部１０ＷＲの上面とは、共通の平面上に位置することとなる。また、フレキシブル配線基板１４のコンタクトパッド群１４Ｅがコンタクト端子２０ａｉの接点部２０ｃに押圧され保持されることにより、コンタクトパッド群１４Ｅとコンタクト端子２０ａｉとが電気的に接続されることとなる。
【００４８】
従って、アダプター部１２をアダプター収容部１０Ａ内に向けて押圧する簡単な操作により、アダプター部１２がアダプターハウジング部１０に装着されるので自動組立てロボット等を利用することにより、アダプター部１２をアダプターハウジング部１０に対して接続することも容易となる。
【００４９】
一方、アダプター部１２をアダプターハウジング部１０のアダプター収容部１０Ａから取り外す場合、先ず、スライドロックレバー２２の操作部２２ｔがリターンスプリング１０ＲＳの弾性力に抗して図１における矢印の示す方向に押圧される。スライドロックレバー２２の摺動は、各突起部１０ｄが爪部２２ｂに当接することにより、規制されることとなる。これにより、その爪部１６ｎｂの根元がロック用係合片部２２ｅの内周部に対し非係合状態とされ、所謂、アンロック状態とされる。
【００５０】
次に、スライドロックレバー２２の摺動が規制された状態で保持されるとき、アダプター部１２がアダプターハウジング部１０のアダプター収容部１０Ａから引き離される。これにより、アダプター部１２がアダプターハウジング部１０のアダプター収容部１０Ａから取り外されることとなる。
【００５１】
なお、上述の例においては、本体部１６の爪部１６ｎａの形状と爪部１６ｎｂの形状とは、互いに異なる形状とされるが、斯かる例に限られることなく、互いに同一形状であってもよい。また、斯かる場合、補強用プレート１８の爪部１８ｎａの形状と爪部１８ｎｂの形状とが、互いに同一形状であってもよい。
【図面の簡単な説明】
【００５２】
【図１】本発明に係るケーブル用コネクタの一例における一部を構成するアダプターハウジング部を示す斜視図である。
【図２】図１に示される例における底部を示す斜視図である。
【図３】図１に示される例を、その背面部側から見て示す斜視図である。
【図４】本発明に係るケーブル用コネクタの一例の外観を示す斜視図である。
【図５】図４に示される例を分解して示す斜視図である。
【図６】図１に示される例における一部を拡大して示す斜視図である。
【図７】図１に示される例における一部を拡大して示す斜視図である。
【図８】図４に示される例におけるアダプター部の一部を構成する補強用パネルを示す斜視図である。
【図９】図８に示される例において、裏面側から見て示す斜視図である。
【図１０】図４に示される例におけるアダプター部の一部を構成する本体部を示す斜視図である。
【図１１】図１０に示される例において、裏面側から見て示す斜視図である。
【図１２】図４に示される例におけるアダプター部をフレキシブル配線基板とともに示す斜視図である。
【図１３】（Ａ）および（Ｂ）は、それぞれ、図４に示される例における動作説明に供される斜視図である。
【図１４】（Ａ）、（Ｂ）および（Ｃ）は、それぞれ、図４に示される例における動作説明に供される斜視図である。
【図１５】（Ａ）、（Ｂ）および（Ｃ）は、それぞれ、図４に示される例における動作説明に供される斜視図である。
【符号の説明】
【００５３】
１０    アダプターハウジング部
１０Ａ    アダプター収容部
１０ＲＳ    リターンスプリング
１２    アダプター部
１４    フレキシブル配線基板
１６ｎａ，１６ｎｂ    爪部
１８ｎｃ    爪部
２０ａｉ    コンタクト端子
２２    スライドロックレバー
２２ａ，２２ｎ    ロック用爪部
２２ｅ    ロック用係合片部
【図１】
2008108499.tif 000003
【図２】
2008108499.tif 000004
【図３】
2008108499.tif 000005
【図４】
2008108499.tif 000006
【図５】
2008108499.tif 000007
【図６】
2008108499.tif 000008
【図７】
2008108499.tif 000009
【図８】
2008108499.tif 000010
【図９】
2008108499.tif 000011
【図１０】
2008108499.tif 000012
【図１１】
2008108499.tif 000013
【図１２】
2008108499.tif 000014
【図１３】
2008108499.tif 000015
【図１４】
2008108499.tif 000016
【図１５】
2008108499.tif 000017